(57)【要約】      （修正有）【課題】無線通信システムにおける通信リンク設定方法。【解決手段】第１の基地局装置が新たに設置された基地局装置であることを示す新設メッセージを第２の基地局装置にマルチキャストで送信し、前記第２の基地局装置から新設応答メッセージを受信した場合、隣接セル情報として端末装置に送信可能な個数分、前記第２の基地局装置ごとに信号リンク確立要求メッセージを送信し、信号リンク確立応答メッセージを前記第２の基地局装置から受信した場合、前記第２の基地局装置を隣接基地局装置とする隣接セル情報を生成し、一定期間ハンドオーバが実行されない場合、ハンドオーバに使用されない前記第２の基地局装置との通信リンクを解放する解放要求メッセージを当該第２の基地局装置に送信するとともに前記解放要求メッセージの送信先である前記第２の基地局に関する情報を前記隣接セル情報から削除する。【選択図】図６
2011004101.tif 000002
【特許請求の範囲】
【請求項１】
第１及び第２の基地局装置と端末装置との間で無線通信を行う無線通信システムにおいて、
前記第１の基地局装置は、
前記第１の基地局装置の位置情報を取得する第１の位置情報取得部と、
前記位置情報を含む、前記第１の基地局装置が新たに設置された基地局装置であることを示す新設メッセージを生成して前記第２の基地局装置にマルチキャストで送信し、前記第２の基地局装置から前記新設メッセージに対する新設応答メッセージを受信した場合、隣接セル情報として前記端末装置に送信可能な個数分、前記第２の基地局装置ごとに信号リンク確立要求メッセージを送信し、当該信号リンク確立要求メッセージに対する信号リンク確立応答メッセージを前記第２の基地局装置から受信した場合、当該信号リンク確立応答メッセージを送信した前記第２の基地局装置を隣接基地局装置とする隣接セル情報を生成し、一定期間ハンドオーバが実行されない場合、ハンドオーバに使用されない前記第２の基地局装置との通信リンクを解放する解放要求メッセージを当該第２の基地局装置に送信するとともに前記解放要求メッセージの送信先である前記第２の基地局に関する情報を前記隣接セル情報から削除する第１の制御部と、
前記隣接セル情報を前記端末装置に送信する送信部とを備え、
前記端末装置は、
前記隣接セル情報を受信する受信部を備えることを特徴とする無線通信システム。
【請求項２】
前記第２の基地局装置は、さらに、
前記第２の基地局装置の位置情報を取得する第２の位置情報取得部と、
前記第２の基地局装置の位置情報と、前記新設メッセージに含まれる第１の基地局装置の位置情報とに基づいて、前記第１の基地局装置との距離を計算し、前記距離と閾値とを比較することで前記第１の基地局装置と隣接するか否かを判断することを特徴とする請求項１記載の無線通信システム。
【請求項３】
前記第２の制御部は、前記第２の基地局装置の前記第１の基地局装置に対する電波送信方向及び方角を前記隣接するか否かの判断基準に加えることを特徴とする請求項２記載の無線通信システム。
【請求項４】
前記第２の制御部は、前記距離が前記閾値以下のとき、前記第１の基地局装置と隣接するものとして前記新設応答メッセージを前記第１の基地局装置に送信することを特徴とする請求項２記載の無線通信システム。
【請求項５】
前記第１の制御部は、さらに、第１の隣接セルリストを保持し、
前記第１の制御部は、前記新設応答メッセージに含まれる前記第２の基地局装置の位置情報と前記第１の基地局装置の位置情報とに基づいて、前記第１の基地局装置からの距離が近い順に前記第２の基地局装置に関する情報を前記第１の隣接セルリストに登録することを特徴とする請求項１記載の無線通信システム。
【請求項６】
前記第１の制御部は、前記第１の基地局装置からの距離と、さらに前記第１の基地局装置に対する前記第２の基地局装置の電波送信方向及び方角とに基づいて、前記第２の基地局装置に関する情報を順番に前記第１の隣接セルリストに登録することを特徴とする請求項５記載の無線通信システム。
【請求項７】
前記第１の制御部は、前記第１の隣接セルリストに登録された前記第２の基地局装置に対して、前記信号リンク確立要求メッセージを送信することを特徴とする請求項５または６記載の無線通信システム。
【請求項８】
第１及び第２の基地局装置と端末装置との間で無線通信を行う無線通信システムにおいて、
前記第２の基地局装置は、
前記第２の基地局装置の位置情報を取得する第２の位置情報取得部と、
新たに設置された基地局装置であることを示す新設メッセージを前記第１の基地局装置から受信した場合、前記新設メッセージに含まれる前記第１の基地局装置の位置情報と前記第２の基地局装置の位置情報とに基づいて前記第１の基地局装置との距離を計算し、前記距離が閾値よりも小さいとき前記第１の基地局装置と隣接するものとして新設応答メッセージを前記第１の基地局装置に送信し、前記第１の基地局装置から信号リンク確立要求メッセージを受信した場合、前記第１の基地局装置を隣接基地局装置とする隣接セル情報を生成して前記信号リンク確立要求メッセージに対する信号リンク確立応答メッセージを前記第１の基地局装置に送信し、前記第１の基地局装置から信号リンクの解放を要求する解放要求メッセージを受信した場合、前記隣接セル情報から前記第１の基地局装置に関する情報を削除する第２の制御部と、
前記隣接セル情報を前記端末装置に送信する送信部と、
前記端末装置は、
前記隣接セル情報を受信する受信部を備えることを特徴とする無線通信システム。
【請求項９】
端末装置と無線通信を行う基地局装置において、
前記基地局装置の位置情報を取得する第１の位置情報取得部と、
前記位置情報を含む、前記基地局装置が新たに設置された基地局装置であることを示す新設メッセージを生成して、前記基地局装置と接続された既設基地局装置にマルチキャストで送信し、前記既設基地局装置から前記新設メッセージに対する新設応答メッセージを受信した場合、隣接セル情報として前記端末装置に送信可能な個数分、前記既設基地局装置ごとに信号リンク確立要求メッセージを送信し、当該信号リンク確立要求メッセージに対する信号リンク確立応答メッセージを前記既設基地局装置から受信した場合、当該信号リンク確立応答メッセージを送信した前記既設基地局装置を隣接基地局装置とする隣接セル情報を生成し、一定期間ハンドオーバが実行されない場合、ハンドオーバに使用されない前記既設基地局装置との通信リンクを解放する解放要求メッセージを当該既設基地局装置に送信するとともに前記解放要求メッセージの送信先である前記既設基地局装置に関する情報を前記隣接セル情報から削除する第１の制御部と、
前記隣接セル情報を前記端末装置に送信する送信部と
を備えることを特徴とする基地局装置。
【請求項１０】
端末装置と無線通信を行う基地局装置において、
前記基地局装置の位置情報を取得する第２の位置情報取得部と、
新たに設置された基地局装置であることを示す新設メッセージを新たに設置された新設基地局装置から受信した場合、前記新設メッセージに含まれる前記新設基地局装置の位置情報と前記基地局装置の位置情報とに基づいて前記新設基地局装置との距離を計算し、前記距離が閾値よりも小さいとき前記新設基地局装置と隣接するものとして新設応答メッセージを前記新設基地局装置に送信し、前記新設基地局装置から信号リンク確立要求メッセージを受信した場合、前記新設基地局装置を隣接基地局装置とする隣接セル情報を生成し、前記信号リンク確立要求メッセージに対する信号リンク確立応答メッセージを前記新設基地局装置に送信し、前記新設基地局装置から信号リンクの解放を要求する解放要求メッセージを受信した場合、前記隣接セル情報から前記新設基地局装置に関する情報を削除する第２の制御部と、
前記隣接セル情報を前記端末装置に送信する送信部と
を備えることを特徴とする基地局装置。
【請求項１１】
基地局装置と無線通信を行う端末装置において、
前記基地局装置は、前記基地局装置の位置情報を含む、前記基地局装置が新たに設置された基地局装置であることを示す新設メッセージを生成して、既に設置された他の基地局装置である既設基地局装置にマルチキャストで送信し、前記基地局装置が前記既設基地局装置から前記新設メッセージに対する新設応答メッセージを受信した場合、隣接セル情報として前記端末装置に送信可能な個数分、前記既設基地局装置ごとに信号リンク確立要求メッセージを前記既設基地局装置に送信し、前記基地局装置が当該信号リンク確立要求メッセージに対する信号リンク確立応答メッセージを前記既設基地局装置から受信した場合、当該信号リンク確立応答メッセージを送信した前記既設基地局装置を隣接基地局装置とする隣接セル情報を前記基地局装置から受信する受信部
を備え、
前記受信部は、前記基地局装置との間で一定期間ハンドオーバが実行されない場合、前記基地局装置はハンドオーバに使用されない前記既設基地局装置との通信リンクを解放する解放要求メッセージを当該既設基地局装置に送信し、前記解放要求メッセージの送信先である前記既設基地局装置に関する情報が削除された前記隣接セル情報を受信することを特徴とする端末装置。
【請求項１２】
基地局装置と無線通信を行う端末装置において、
前記基地局装置が新たに設置された基地局装置であることを示す新設メッセージを新たに設置された新設基地局装置から受信した場合、前記基地局装置は前記新設メッセージに含まれる前記新設基地局装置の位置情報と前記基地局装置の位置情報とに基づいて前記新設基地局装置との距離を計算し、前記距離が閾値よりも小さいとき前記新設基地局装置と隣接するものとして新設応答メッセージを前記新設基地局装置に送信し、前記基地局装置が前記新設基地局装置から信号リンク確立要求メッセージを受信した場合、前記信号リンク確立要求メッセージに対する信号リンク確立応答メッセージが前記新設基地局装置に送信し、前記基地局装置が生成した前記新設基地局装置を隣接基地局装置とする隣接セル情報を受信する受信部、
を備え、
前記受信部は、前記基地局装置が前記新設基地局装置から信号リンクの解放を要求する解放要求メッセージを受信した場合、前記新設基地局装置に関する情報が削除された前記隣接セル情報を受信することを特徴とする端末装置。
【請求項１３】
第１及び第２の基地局装置と端末装置との間で無線通信を行う無線通信システムにおける通信リンク設定方法であって、
前記第１の基地局装置は、
前記第１の基地局装置の位置情報を取得し、
前記位置情報を含む、前記第１の基地局装置が新たに設置された基地局装置であることを示す新設メッセージを生成して前記第２の基地局装置にマルチキャストで送信し、
前記第２の基地局装置から前記新設メッセージに対する新設応答メッセージを受信した場合、隣接セル情報として前記端末装置に送信可能な個数分、前記第２の基地局装置ごとに信号リンク確立要求メッセージを送信し、
当該信号リンク確立要求メッセージに対する信号リンク確立応答メッセージを前記第２の基地局装置から受信した場合、当該信号リンク確立応答メッセージを送信した前記第２の基地局装置を隣接基地局装置とする隣接セル情報を生成して前記端末装置に送信し、
一定期間ハンドオーバが実行されない場合、ハンドオーバに使用されない前記第２の基地局装置との通信リンクを解放する解放要求メッセージを当該第２の基地局装置に送信するとともに前記解放要求メッセージの送信先である前記第２の基地局に関する情報を前記隣接セル情報から削除する、
ことを特徴とする通信リンク設定方法。
【請求項１４】
第１及び第２の基地局装置と端末装置との間で無線通信を行う無線通信システムにおける通信リンク設定方法であって、
前記第２の基地局装置は、
前記第２の基地局装置の位置情報を取得し、
新たに設置された基地局装置であることを示す新設メッセージを前記第１の基地局装置から受信した場合、前記新設メッセージに含まれる前記第１の基地局装置の位置情報と前記第２の基地局装置の位置情報とに基づいて前記第１の基地局装置との距離を計算し、前記距離が閾値よりも小さいとき前記第１の基地局装置と隣接するものとして新設応答メッセージを前記第１の基地局装置に送信し、
前記第１の基地局装置から信号リンク確立要求メッセージを受信した場合、前記第１の基地局装置を隣接基地局装置とする隣接セル情報を生成して、前記隣接セル情報を前記端末装置に送信し、前記信号リンク確立要求メッセージに対する信号リンク確立応答メッセージを前記第１の基地局装置に送信し、
前記第１の基地局装置から信号リンクの解放を要求する解放要求メッセージを受信した場合、前記隣接セル情報から前記第１の基地局装置に関する情報を削除する、
ことを特徴とする通信リンク設定方法。
【発明の詳細な説明】
【技術分野】
【０００１】
本発明は、無線通信システム、基地局装置、端末装置、及び無線通信システムにおける通信リンク設定方法に関する。
【背景技術】
【０００２】
現在、携帯電話サービスを行っているネットワークとして３Ｇセルラネットワークがある（例えば、以下の非特許文献１）。図１２は３Ｇセルラネットワークの構成例を示す図である。３Ｇセルラネットワークは、無線アクセスネットワーク（ＲＡＮ）と、音声サービスやパケットサービスを提供するコアネットワーク（ＣＮ）とを備える。無線アクセスネットワークは、端末装置と直接無線通信を行う基地局装置（ＮｏｄｅＢ）１００‐１〜１００‐７と、複数の基地局装置１００‐１〜１００‐７を制御する基地局制御装置（ＲＮＣ）１０１‐１〜１０１‐３とを備える。
【０００３】
また、基地局制御装置（ＲＮＣ）１０１‐１〜１０１‐３には、隣接基地局装置（ＮｏｄｅＢ）１００‐１〜１００‐７の関係、各基地局装置（ＮｏｄｅＢ）１００‐１〜１００‐７からの電波出力等の各種パラメータが保持される。かかるパラメータの設定作業は人手により行われる。
【０００４】
一方、次世代携帯電話サービスとしてＬＴＥ（Long Term Evolution）システムがある（例えば、以下の非特許文献２〜４）。図１３は、ＬＴＥシステムのネットワーク構成例を示す図である。ＬＴＥシステムの無線アクセスネットワーク（ＲＡＮ）は、基地局装置（ｅＮｏｄｅＢ）１２０‐１〜１２０‐７を備える。基地局装置（ｅＮｏｄｅＢ）は、Ｓ１／Ｘ２  ｆｌｅｘ  Ｎｅｔｗｏｒｋ１２１を介して互いに接続される。
【０００５】
ＬＴＥシステムでは、３Ｇセルラネットワークシステムと比較して、例えば、基地局制御装置（ＲＮＣ）１０１‐１〜１０１‐３を介さない分、ハンドオーバを高速に行うことができる。
【０００６】
なお、以下に示す特許文献１、２には、新設基地局装置に対してトラッキングを自動設定できるようにした移動通信システムが開示されている。
【先行技術文献】
【非特許文献】
【０００７】
【非特許文献１】3GPP TS23.002
【非特許文献２】3GPP TS23.401
【非特許文献３】3GPP TS23.402
【非特許文献４】3GPP TS36.300
【特許文献】
【０００８】
【特許文献１】特開２００８‐１９３３６４号公報
【特許文献２】特開２００８‐１９３３６６号公報
【発明の概要】
【発明が解決しようとする課題】
【０００９】
ＬＴＥシステムでは、基地局制御装置（ＲＮＣ）がないため、基地局装置（ｅＮｏｄｅＢ）に隣接基地局装置の関係等の各種パラメータが設定される。しかし、すべての基地局装置（ｅＮｏｄｅＢ）に各種パラメータの設定が人手により行われると、通信事業者に大きな手間をかけ、コストが増加する。
【００１０】
また、ＬＴＥシステムにおいて、基地局装置（ｅＮｏｄｅＢ）間において信号リンクを確立するために、信号リンクの設定及び解放等が手動で行われると、通信事業者に対して膨大な手間をかけ、コストが増加する。
【００１１】
そこで、本発明の目的の一つは、コスト削減を図るようにした無線通信システム、基地局装置、端末装置、及び無線通信システムにおける通信リンク設定方法を提供することにある。
【００１２】
また、本発明の他の目的の一つは、隣接基地局装置間において自動で信号リンクを確立できるようにした無線通信システム等を提供することにある。
【課題を解決するための手段】
【００１３】
一態様によれば、第１及び第２の基地局装置と端末装置との間で無線通信を行う無線通信システムにおいて、前記第１の基地局装置は、前記第１の基地局装置の位置情報を取得する第１の位置情報取得部と、前記位置情報を含む、前記第１の基地局装置が新たに設置された基地局装置であることを示す新設メッセージを生成して前記第２の基地局装置にマルチキャストで送信し、前記第２の基地局装置から前記新設メッセージに対する新設応答メッセージを受信した場合、隣接セル情報として前記端末装置に送信可能な個数分、前記第２の基地局装置ごとに信号リンク確立要求メッセージを送信し、当該信号リンク確立要求メッセージに対する信号リンク確立応答メッセージを前記第２の基地局装置から受信した場合、当該信号リンク確立応答メッセージを送信した前記第２の基地局装置を隣接基地局装置とする隣接セル情報を生成し、一定期間ハンドオーバが実行されない場合、ハンドオーバに使用されない前記第２の基地局装置との通信リンクを解放する解放要求メッセージを当該第２の基地局装置に送信するとともに前記解放要求メッセージの送信先である前記第２の基地局に関する情報を前記隣接セル情報から削除する第１の制御部と、前記隣接セル情報を前記端末装置に送信する送信部とを備え、前記端末装置は、前記隣接セル情報を受信する受信部を備える。
【００１４】
また、他の態様によれば、端末装置と無線通信を行う基地局装置において、前記基地局装置の位置情報を取得する第１の位置情報取得部と、前記位置情報を含む、前記基地局装置が新たに設置された基地局装置であることを示す新設メッセージを生成して、前記基地局装置と接続された既設基地局装置にマルチキャストで送信し、前記既設基地局装置から前記新設メッセージに対する新設応答メッセージを受信した場合、隣接セル情報として前記端末装置に送信可能な個数分、前記既設基地局装置ごとに信号リンク確立要求メッセージを送信し、当該信号リンク確立要求メッセージに対する信号リンク確立応答メッセージを前記既設基地局装置から受信した場合、当該信号リンク確立応答メッセージを送信した前記既設基地局装置を隣接基地局装置とする隣接セル情報を生成し、一定期間ハンドオーバが実行されない場合、ハンドオーバに使用されない前記既設基地局装置との通信リンクを解放する解放要求メッセージを当該既設基地局装置に送信するとともに前記解放要求メッセージの送信先である前記既設基地局装置に関する情報を前記隣接セル情報から削除する第１の制御部と、前記隣接セル情報を前記端末装置に送信する送信部とを備える。
【００１５】
さらに、他の態様によれば、基地局装置と無線通信を行う端末装置において、前記基地局装置は、前記基地局装置の位置情報を含む、前記基地局装置が新たに設置された基地局装置であることを示す新設メッセージを生成して、既に設置された他の基地局装置である既設基地局装置にマルチキャストで送信し、前記基地局装置が前記既設基地局装置から前記新設メッセージに対する新設応答メッセージを受信した場合、隣接セル情報として前記端末装置に送信可能な個数分、前記既設基地局装置ごとに信号リンク確立要求メッセージを前記既設基地局装置に送信し、前記基地局装置が当該信号リンク確立要求メッセージに対する信号リンク確立応答メッセージを前記既設基地局装置から受信した場合、当該信号リンク確立応答メッセージを送信した前記既設基地局装置を隣接基地局装置とする隣接セル情報を前記基地局装置から受信する受信部を備え、前記受信部は、前記基地局装置との間で一定期間ハンドオーバが実行されない場合、前記基地局装置はハンドオーバに使用されない前記既設基地局装置との通信リンクを解放する解放要求メッセージを当該既設基地局装置に送信し、前記解放要求メッセージの送信先である前記既設基地局装置に関する情報が削除された前記隣接セル情報を受信する。
【００１６】
さらに、他の態様によれば、第１及び第２の基地局装置と端末装置との間で無線通信を行う無線通信システムにおける通信リンク設定方法であって、前記第１の基地局装置は、前記第１の基地局装置の位置情報を取得し、前記位置情報を含む、前記第１の基地局装置が新たに設置された基地局装置であることを示す新設メッセージを生成して前記第２の基地局装置にマルチキャストで送信し、前記第２の基地局装置から前記新設メッセージに対する新設応答メッセージを受信した場合、隣接セル情報として前記端末装置に送信可能な個数分、前記第２の基地局装置ごとに信号リンク確立要求メッセージを送信し、当該信号リンク確立要求メッセージに対する信号リンク確立応答メッセージを前記第２の基地局装置から受信した場合、当該信号リンク確立応答メッセージを送信した前記第２の基地局装置を隣接基地局装置とする隣接セル情報を生成して前記端末装置に送信し、一定期間ハンドオーバが実行されない場合、ハンドオーバに使用されない前記第２の基地局装置との通信リンクを解放する解放要求メッセージを当該第２の基地局装置に送信するとともに前記解放要求メッセージの送信先である前記第２の基地局に関する情報を前記隣接セル情報から削除する。
【発明の効果】
【００１７】
コスト削減を図るようにした無線通信システム、基地局装置、端末装置、及び無線通信システムにおける通信リンク設定方法を提供することができる。また、隣接基地局間において自動で信号リンクを確立できるようにした無線通信システム等を提供することができる。
【図面の簡単な説明】
【００１８】
【図１】図１は無線通信システムの構成例を示す図である。
【図２】図２は基地局装置の構成例を示す図である。
【図３】図３は端末装置の構成例を示す図である。
【図４】図４はセルエリアの例を示す図である。
【図５】図５は動作例を示すシーケンス図である。
【図６】図６は動作例を示すシーケンス図である。
【図７】図７は隣接セルリストの例を示す図である。
【図８】図８（Ａ）はセル形状と電波到達距離の例、図８（Ｂ）は基地局間のセル形状の関係例をそれぞれ示す図である。
【図９】図９は出力リストの例を示す図である。
【図１０】図１０は基地局装置の他の構成例を示す図である。
【図１１】図１１は動作例を示すシーケンス図である。
【図１２】図１２は３Ｇセルラシステムのネットワーク構成例を示す図である。
【図１３】図１３はＬＴＥシステムのネットワーク構成例を示す図である。
【発明を実施するための形態】
【００１９】
本発明を実施するための形態について以下説明する。
【００２０】
＜第１の実施例＞
第１の実施例について説明する。図１は無線通信システム１の構成例を示す図である。第１及び第２の基地局装置１０‐０，１０‐１と端末装置２０との間で無線通信を行う無線通信システム１において、前記第１の基地局装置１０‐１は、前記第１の基地局装置１０‐１の位置情報を取得する第１の位置情報取得部１７と、前記位置情報を含む、前記第１の基地局装置１０‐０が新たに設置された基地局装置であることを示す新設メッセージを生成して前記第２の基地局装置１０‐１にマルチキャストで送信し、前記第２の基地局装置１０‐１から前記新設メッセージに対する新設応答メッセージを受信した場合、隣接セル情報として前記端末装置２０に送信可能な個数分、前記第２の基地局装置１０‐１ごとに信号リンク確立要求メッセージを送信し、当該信号リンク確立要求メッセージに対する信号リンク確立応答メッセージを前記第２の基地局装置１０‐１から受信した場合、当該信号リンク確立応答メッセージを送信した前記第２の基地局装置１０‐１を隣接基地局装置とする隣接セル情報を生成し、一定期間ハンドオーバが実行されない場合、ハンドオーバに使用されない前記第２の基地局装置１０‐１との通信リンクを解放する解放要求メッセージを当該第２の基地局装置１０‐１に送信するとともに前記解放要求メッセージの送信先である前記第２の基地局装置１０‐１に関する情報を前記隣接セル情報から削除する第１の制御部１８と、前記隣接セル情報を前記端末装置に送信する送信部１９とを備え、前記端末装置２０は、前記隣接セル情報を受信する受信部２５を備える。
【００２１】
第１の位置情報取得部１７は、第１の基地局装置１０‐０の位置情報を取得する。
【００２２】
第１の制御部１８は、位置情報を含む、第１の基地局装置１０‐０が新たに設置された基地局装置であることを示す新設メッセージを生成して第２の基地局装置１０‐１にマルチキャストで送信する。また、第１の制御部１８は、第２の基地局装置１０‐１から新設メッセージに対する新設応答メッセージを受信した場合、隣接セル情報として端末装置２０に送信可能な個数分、第２の基地局装置１０‐１ごとに信号リンク確立要求メッセージを送信する。さらに、第１の制御部１８は、当該信号リンク確立要求メッセージに対する信号リンク確立応答メッセージを第２の基地局装置１０‐１から受信した場合、当該信号リンク確立応答メッセージを送信した第２の基地局装置１０‐１を隣接基地局装置とする隣接セル情報を生成する。さらに、第１の制御部１８は、一定期間ハンドオーバが実行されない場合、ハンドオーバに使用されない第２の基地局装置１０‐１との通信リンクを解放する解放要求メッセージを当該第２の基地局装置１０‐１に送信するとともに解放要求メッセージの送信先である第２の基地局装置１０‐１に関する情報を隣接セル情報から削除する。
【００２３】
送信部１９は第１の制御部１８で生成した隣接セル情報を端末装置２０に送信する。
【００２４】
端末装置２０の受信部２５は、隣接セル情報を受信する。
【００２５】
第１の基地局装置１０‐０は、第１の基地局装置１０‐０は第２の基地局装置１０‐１との間で、信号リンク確立要求メッセージ及び信号リンク確立応答メッセージ送受信により、信号リンクが自動的に確立される。また、第１の基地局装置１０‐０は、一定期間ハンドオーバが実行されない第２の基地局装置に対して、解放要求メッセージを送信して信号リンクを解放するようにしたため、自動的に信号リンクが解放される。したがって、本無線通信システム１は、自動的にリンクの設定及び解放が行われ、手動で設定する場合と比較して、コスト削減を図ることができる。
【００２６】
＜第２の実施例＞
次に第２の実施例を説明する。図２は無線通信システム１における基地局装置１０、図３は端末装置２０の構成例をそれぞれ示す図である。
【００２７】
基地局装置１０は、アンテナ１１と、ＧＰＳ受信部１２と、制御部１３と、ＩＰ処理部１４と、無線処理部１５‐１〜１５‐３と、アンテナ１６‐１〜１６‐３とを備える。
【００２８】
なお、第１の実施例における第１の位置情報取得部１７は、例えばアンテナ１１とＧＰＳ受信部１２に対応し、第１の制御部１８は、例えば制御部１３とＩＰ処理部１４に対応し、送信部１９は、例えば無線処理部１５‐１〜１５‐３とアンテナ１６‐１〜１６‐３に対応する。
【００２９】
アンテナ１１は、衛星等から送信されたＧＰＳ信号を受信する。
【００３０】
ＧＰＳ受信部１２は、アンテナ１１から出力されたＧＰＳ信号を受信して制御部１３に出力する。
【００３１】
制御部１３は、基地局装置１０の各部に対して各種制御を行う。制御部１３は、例えばＧＰＳ信号に基づいて自基地局装置の位置を演算し、さらに各種メッセージ、及び報知情報（又は隣接セル情報）の生成等も行う。また、制御部１３は隣接セルリスト１３０を備え、隣接基地局装置の識別情報（ｅＮＢ‐ＩＤ）等を保持する。制御部１３と隣接セルリスト１３０の詳細は後述する。
【００３２】
ＩＰ処理部１４は、Ｓ１／Ｘ２  ｆｌｅｘ  ネットワーク（以下、ＩＰネットワーク）１２１を介して他の基地局装置と接続され、ＩＰネットワーク１２１に対するインターフェースの役割を果たす。ＩＰ処理部１４は、制御部１３で生成された各種メッセージを、ＩＰネットワーク１２１を介して他の基地局装置へ送信し、ＩＰネットワーク１２１を介して他の基地局装置から送信された各種メッセージを受信し制御部１３等に出力する。詳細は後述する。
【００３３】
無線処理部１５‐１〜１５‐３は、制御部１３から出力された報知情報等に対して符号化、変調等の処理を行い無線信号に変換して各アンテナ１６‐１〜１６‐３に出力する。また、無線処理部１５‐１〜１５‐３は、各アンテナ１６‐１〜１６‐３で受信した無線信号に対して、復調、復号化等の処理を行い制御部１３またはＩＰ処理部１４に出力する。
【００３４】
アンテナ１６‐１〜１６‐３は、各セル範囲内で端末装置２０との間で無線信号を送受信する。
【００３５】
端末装置２０は、アンテナ２１と、無線処理部２２と、制御部２３とを備える。第１の実施例における端末装置２０の受信部２５は、例えば、アンテナ２１と無線処理部２２と制御部２３に対応する。
【００３６】
アンテナ２１は基地局装置１０との間で無線信号を送受信する。
【００３７】
無線処理部２２は、アンテナ２１で受信した無線信号を復調、復号化等の処理を行い制御部２３に出力し、制御部２３から出力された信号、データ等に対して符号化、変調等の処理を行い無線信号としてアンテナ２１に出力する。
【００３８】
制御部２３は、端末装置２０において各種制御を実行する。制御部２３は、例えば、接続先の基地局装置１０の受信電力等が閾値より低くなるとハンドオーバ要求信号の生成等を行う。
【００３９】
図４は各基地局装置１０のサービスエリアの例を示す図である。図４において、中央の基地局装置１０は新設基地局装置１０‐０であり、新設基地局装置１０‐０から距離が近い順に、グループ１の近隣基地局装置１０‐１〜１０‐６、グループ２の近隣基地局装置１０‐１０１〜１０‐１０６、グループ３の近隣基地局装置１０‐２０１〜１０‐２０６、グループ４の近隣基地局装置１０‐３０１〜１０‐３１７が配置される。本第２の実施例において、各基地局装置１０は、３つのセクタを有し、各アンテナ１６‐１〜１６‐３から各セル（セクタ）範囲において端末装置２０と無線通信を行う。近隣基地局装置１０‐１〜１０‐３１７は、新設基地局装置１０‐０が設置される前に既に設置された既設基地局装置でもある。
【００４０】
次に動作について説明する。図５及び図６は動作例を示すシーケンス図である。
【００４１】
最初に、新設基地局装置１０‐０はＧＰＳで自局装置の位置を測定する（Ｓ１０）。制御部１３はＧＰＳ受信部１２からのＧＰＳ信号により、例えば緯度及び経度等、詳細な位置情報を取得できる。
【００４２】
次いで、新設基地局装置１０‐０は、近隣基地局装置１０‐１〜１０‐３１７に対して、ｅＮＢ新設通知メッセージをマルチキャストで送信する（Ｓ１１）。例えば、制御部１３は位置情報を取得後、自局が新設基地局装置であることを示すｅＮＢ新設通知メッセージを生成して、ＩＰ処理部１４に出力する。このとき、制御部１３は、取得した自局装置の位置情報を当該メッセージに含めるようにする。ＩＰ処理部１４は当該メッセージを、ＩＰネットワーク１２１を介して近隣基地局装置１０‐１〜１０‐３１７に送信する。なお、制御部１３は、新設基地局装置１０‐０に接続された全ての既設基地局装置にマルチキャストでｅＮＢ新設通知メッセージを送信してもよい。
【００４３】
次いで、各近隣基地局装置１０‐１〜１０‐３１７は、既に測定した自局装置の位置と、ｅＮＢ新設通知メッセージに含まれる新設基地局装置１０‐０の位置情報とに基づいて、２つの基地局装置の距離を計算する（Ｓ１２）。例えば、各近隣基地局装置１０‐１〜１０‐３１７の制御部１３は、ＩＰ処理部１４に入力されたｅＮＢ新設通知メッセージから新設基地局装置１０‐０の位置情報を取り出す。そして、制御部１３は既にＧＰＳ受信部１２等を用いて測定した自局装置の位置と、取り出した新設基地局装置１０‐０の位置との差を計算することで距離を計算する。
【００４４】
次いで、各近隣基地局装置１０‐１〜１０‐３１７は、計算した距離が閾値Ｌよりも小さいとき（または閾値Ｌ以下のとき）、当該近隣基地局装置１０‐１〜１０‐３１７は新設基地局装置１０‐０の隣接候補基地局装置になると判断する（Ｓ１３‐１〜Ｓ１３‐３でＹｅｓ）。
【００４５】
一方、各近隣基地局装置１０‐１〜１０‐３１７は、計算した距離が閾値Ｌと同じが大きいとき（または閾値Ｌより大きいとき）、当該近隣基地局装置１０‐１〜１０‐３１７は新設基地局装置１０‐０の隣接候補基地局装置にならないと判断し（Ｓ１３‐４でＮＯ）、一連の処理を終了する。
【００４６】
図５の例では、グループ１〜３の近隣基地局装置１０‐１〜１０‐２０６は隣接候補基地局装置になると判断し、グループ４の近隣基地局装置１０‐３０１〜１０‐３１７は隣接候補基地局装置にならないと判断している。かかる判断は、例えば制御部１３により行われる。
【００４７】
隣接候補基地局装置になると判断した近隣基地局装置１０‐１〜１０‐２０６は、ｅＮＢ新設応答メッセージを新設基地局装置１０‐０に応答する（Ｓ１５‐１〜Ｓ１５‐３）。ｅＮＢ新設応答メッセージは、ｅＮＢ新設通知メッセージに対する応答メッセージであり、各近隣基地局装置１０‐１〜１０‐２０６の自位置情報と、各近隣基地局装置１０‐１〜１０‐２０６固有の識別情報（ｅＮＢ‐ＩＤ）が含まれる。例えば、各近隣基地局装置１０‐１〜１０‐２０６の制御部１３は、隣接候補基地局と判断したとき、保持した自位置情報と識別情報とを含むようにｅＮＢ新設応答メッセージを生成する。そして、ＩＰ処理部１４は当該応答メッセージを新設基地局装置１０‐０に送信する。
【００４８】
新設基地局装置１０‐０は、ｅＮＢ新設応答メッセージを受信すると、自位置との差を計算し、基地局装置間の距離を計算する（Ｓ１６）。例えば、新設基地局装置１０‐０の制御部１３は、ｅＮＢ新設通知メッセージの受信順に、ｅＮＢ新設応答メッセージに含まれる各近隣基地局装置１０‐１〜１０‐２０６の位置とＳ１０で測定した位置とからその差を計算する。
【００４９】
次いで、新設基地局装置１０‐０は、新設基地局装置１０‐０に対して距離の近い近隣基地局装置１０‐１〜１０‐２０６から順に、近隣基地局装置１０‐１〜１０‐２０６の識別情報と距離等を隣接セルリスト１３０に登録する（Ｓ１７）。
【００５０】
隣接セルリスト１３０に登録可能な近隣基地局装置１０‐１〜１０‐２０６の数は、新設基地局装置等１０‐０から端末装置２０に送信される報知情報で通知できる隣接基地局の情報数で決まる。例えば、報知情報で通知できる最大の隣接基地局数を「１２」とすると、隣接セルリスト１３０に登録可能な近隣基地局装置１０‐１〜１０‐２０６は「１２」となる。隣接セルリスト１３０への登録は、例えば制御部１３により行われる。なお、Ｓ１７の時点での隣接セルリスト１３０への登録は、例えば、隣接基地局装置としての仮登録となる。
【００５１】
図７は新設基地局装置１０‐０における隣接セルリスト１３０の例を示す図である。隣接セルリスト１３０は、基地局装置１０‐１〜１０‐３１７ごとに識別情報（ｅＮＢ‐ＩＤ）、距離、ハンドオーバに必要な情報を示すハンドオーバ関連情報（以下、ＨＯ関連情報）を含む。ＨＯ関連情報は、セルごとの識別情報（セルＩＤ）と各セル（または各アンテナ１６‐１〜１６‐３）から報知情報等を送信するときの報知周波数を含む。報知情報には、例えば、隣接セルリスト１３０に登録された各情報が含まれる。
【００５２】
次いで、新設基地局装置１０‐０は、登録数が報知情報制限数を超えたか否かを判断する（Ｓ１８）。例えば、制御部１３は、隣接セルリスト１３０への登録数が「１２」を超えたか否かで判断する。図７に示す例では、近隣基地局装置１０‐２０１〜１０‐２０６は、他の近隣基地局装置と比較して、新設基地局装置１０‐０からの距離は遠い。近隣基地局装置１０‐２０１〜１０‐２０６の隣接セルリスト１３０への登録は登録数「１２」を超える。この場合、近隣基地局装置１０‐２０１〜１０‐２０６は隣接セルリスト１３０に登録されない。
【００５３】
次いで、新設基地局装置１０‐０は、隣接セルリスト１３０に登録された近隣基地局装置１０‐１〜１０‐１０６に対して、ＳＣＴＰ（Stream Control Transmission Protocol）リンク確立要求メッセージを送信する（Ｓ１９‐１，Ｓ１９‐２）。
【００５４】
図５の例では、新設基地局装置１０‐０はグループ１，２の近隣基地局装置１０‐３０１〜１０‐３１７にＳＣＴＰリンク確立要求メッセージを送信する。ＳＣＴＰリンク確立要求メッセージには、新設基地局装置１０‐０の識別情報（ｅＮＢ‐ＩＤ）と、ＨＯ関連情報とが含まれる。
【００５５】
例えば、新設基地局装置１０‐０の制御部１３は、自局の識別情報とＨＯ関連情報とが含まれるようにＳＣＴＰ確立要求メッセージを生成し、隣接セルリスト１３０に登録された近隣基地局装置１０‐１〜１０‐１０６に対して当該メッセージを送信するようにＩＰ処理部１４に通知する。ＩＰ処理部１４は、ＳＣＴＰリンク確立要求メッセージを近隣基地局装置１０‐１〜１０‐２０６に送信する。新設基地局装置１０‐０がＳＣＴＰリンク確立要求メッセージを送信することにより、近隣基地局装置１０‐１〜１０‐１０６との間で通信リンク確立動作が実行される。
【００５６】
次いで、ＳＣＴＰリンク確立要求メッセージを受信した各近隣基地局装置１０‐１〜１０‐１０６は、自局装置の隣接セルリスト１３０に新設基地局装置１０‐０に関する情報を登録する（Ｓ２０）。例えば、近隣基地局装置１０‐１〜１０‐１０６の制御部１３は、隣接セルリスト１３０に新たに新設基地局装置１０‐０の識別情報（ｅＮＢ‐ＩＤ）とＨＯ関連情報等を登録する。
【００５７】
次いで、各近隣基地局装置１０‐１〜１０‐１０６は、ＳＣＴＰリンク確立応答メッセージを新設基地局装置１０‐０に送信する（Ｓ２１‐１，Ｓ２１‐２）。ＳＣＴＰリンク確立応答メッセージには、近隣基地局装置１０‐１〜１０‐１０６自身の識別情報（ｅＮＢ‐ＩＤ）とＨＯ関連情報とを含む。例えば、近隣基地局装置１０‐１〜１０‐１０６の制御部１３は、保持した自局装置の識別情報とＨＯ関連情報を読み出して、ＳＣＴＰリンク確立応答メッセージに含まれるように当該メッセージを生成する。そして、当該メッセージはＩＰ処理部１４から新設基地局装置１０‐０に送信される。
【００５８】
次いで、近隣基地局装置１０‐１〜１０‐１０６は、隣接基地局装置に関する情報を含む報知情報を、当該近隣基地局装置１０‐１〜１０‐１０６のセル内に報知する（Ｓ２２）。当該報知情報には、隣接基地局装置として新設基地局装置１０‐０に関する情報も含まれる。例えば、近隣基地局装置１０‐１〜１０‐１０６の制御部１３は、隣接セルリスト１３０に登録された基地局装置を隣接基地局装置とする報知情報を生成し、無線処理部１５‐１〜１５‐３を介して端末装置２０に報知する。
【００５９】
一方、新設基地局装置１０‐０は、ＳＣＴＰ確立応答メッセージを受信すると、当該メッセージに含まれる近隣基地局装置１０‐１〜１０‐１０６のＨＯ関連情報を隣接セルリスト１３０に登録する。そして、新設基地局装置１０‐０は、隣接セルリスト１３０に登録された近隣基地局装置１０‐１〜１０‐１０６を隣接基地局装置とする報知情報を報知する（Ｓ２３）。例えば、新設基地局装置１０‐０の制御部１３は、隣接セルリスト１３０に登録された基地局装置を隣接基地局装置とする報知情報を生成し、無線処理部１５‐１〜１５‐３を介して端末装置２０に報知する。
【００６０】
新設基地局装置１０‐０と近隣基地局装置１０‐１〜１０‐１０６はともに報知情報を報知しており、ハンドオーバの暫定運用が開始される。図５の例では、Ｓ２２とＳ２３の処理が行われた時点から、暫定運用期間が開始される。なお、この時点において、新設基地局装置１０‐０と、グループ１，２の近隣基地局装置１０‐１〜１０‐１０６とは全部で１２本のＳＣＴＰリンクが確立されている。
【００６１】
暫定運用期間が開始されると、新設基地局装置１０‐０は、ハンドオーバの実施状況を近隣基地局装置１０‐１〜１０‐２０６毎に監視する（Ｓ２４）。新設基地局装置１０‐０は、ハンドオーバが行われないような近隣基地局装置１０‐１〜１０‐２０６を隣接セルリスト１３０から削除し、ＳＣＴＰ開放要求を行うためである。あるいは、新設基地局装置１０‐０は、ハンドオーバが行われる近隣基地局装置１０‐１〜１０‐２０６を隣接基地局として隣接セルリスト１３０に正式に登録するためである。
【００６２】
監視（Ｓ２４）は、例えば、新設基地局装置１０‐０は、暫定期間中にハンドオーバがあった（又はＳＣＴＰリンクが使用された）場合、解放対象から外し、１回もハンドオーバが行われなかった場合、解放対象とする。
【００６３】
ハンドオーバの有無は、例えば、新設基地局装置１０‐０が接続元、近隣基地局装置１０‐１〜１０‐１０６が接続先の基地局装置の場合、新設基地局装置１０‐０の制御部１３は端末装置２０からハンドオーバ要求信号を受信する。当該要求信号は、接続先を近隣基地局装置１０‐１〜１０‐１０６とする情報を含み、無線処理部１５‐１〜１５‐３を介して制御部１３に通知される。そして、制御部１３はハンドオーバの接続先の近隣基地局装置１０‐１〜１０‐１０６にハンドオーバ要求メッセージを送信する。制御部１３は、暫定期間中、当該メッセージを接続先の近隣基地局装置１０‐１〜１０‐１０６に送信したか否かによりハンドオーバ有無を判断できる。または、近隣基地局装置１０‐１〜１０‐１０６が接続元の基地局装置で新設基地局装置１０‐０が接続先の基地局装置の場合、近隣基地局装置１０‐１〜１０‐１０６は端末装置２０からハンドオーバ要求信号を受信し、新設基地局装置１０‐０にハンドオーバ要求メッセージを送信する。新設基地局装置１０‐０の制御部１３は、ＩＰ処理部１４を介して当該メッセージを受信する。制御部１３は、当該メッセージの受信の有無によりハンドオーバの有無を判断できる。
【００６４】
監視の他の例として、新設基地局装置１０‐０は、暫定期間中にＳＣＴＰリンク毎に使用回数をカウントし、一定閾値以下のＳＣＴＰリンクを解放対象とする。例えば、新設基地局装置１０‐０が接続元の基地局装置の場合、新設基地局装置１０‐０の制御部１３は、ハンドオーバ要求信号を端末装置２０から受信して接続先の近隣基地局装置１０‐１〜１０‐１０６にＩＰ処理部１４を介してハンドオーバ要求メッセージを送信する。制御部１３は接続先の近隣基地局装置１０‐１〜１０‐１０６ごとに当該メッセージの送信回数をカウントし、閾値と比較して解放対象を判断する。または、近隣基地局装置１０‐１〜１０‐１０６が接続元、新設基地局装置１０‐０が接続先の基地局装置の場合、新設基地局装置１０‐０の制御部１３は、近隣基地局装置１０‐１〜１０‐１０６の各々からＩＰ処理部１４を介して受信したハンドオーバ要求メッセージの受信回数により解放対象を判断する。
【００６５】
さらに、監視の他の例として、暫定期間を週単位、月単位等に区切り、新設基地局装置１０‐０は、週単位等でリンク使用回数をカウントし、直近の何週等においてリンク使用回数が「０」の場合、リンク解放対象とする。例えば、新設基地局装置１０‐０の制御部１３は、ハンドオーバ要求メッセージの送信回数、または当該メッセージの受信回数を週毎等にカウントし、直近の何週等において、リンク使用回数が「０」のＳＣＴＰリンクを解放対象とする。例えば、かかる監視により、新設基地局装置１０‐０または近隣基地局装置１０‐１〜１０‐１０６におけるセル環境が変化（建物が建つ等）し、隣接基地局装置だった基地局装置がそうでなくなった場合等を検出することができる。
【００６６】
さらに、監視の他の例として、ある隣接基地局装置間でバースト的にリンク使用が発生する場合に、そのリンクを優先的に保存対象とし、そうでない場合、リンク解放対象とする。例えば、隣接基地局装置間で鉄道等があり、多くの乗客が乗った車両が通過すると複数の端末装置２０が一斉にハンドオーバするような場合である。これにより、例えば、バースト的に発生するリンクに処理能力を割り振ることができる。例えば、新設基地局装置１０‐０の制御部１３は、端末装置２０からハンドオーバ要求信号を受信してハンドオーバ要求メッセージを近隣基地局装置１０‐１〜１０‐１０６ごとに送信した回数をそれぞれカウントする。または、制御部１３は各近隣基地局装置１０‐１〜１０‐１０６からハンドオーバ要求メッセージを受信した回数をそれぞれカウントする。そして、制御部１３はカウント数がある期間に閾値以上あった場合に、新設基地局装置１０‐０とある近隣基地局装置１０‐１〜１０‐１０６との間のリンクを保存対象とし、そうでないリンクを解放対象とする。
【００６７】
新設基地局装置１０‐０は、ＨＯ実施状況を監視し（Ｓ２４）、解放すべきリンクがあればＳＣＴＰリンク解放要求メッセージを当該リンクの接続先である近隣基地局装置１０‐１〜１０‐１０６に送信する（Ｓ２５）。図６の例では、グループ２の近隣基地局装置１０‐１０１〜１０‐１０６との間で暫定期間中ハンドオーバが発生しておらず、解放対象となっている。この場合、新設基地局装置１０‐０は、グループ２の近隣基地局装置１０‐１０１〜１０‐１０６のすべてに対して、ＳＣＴＰリンク解放要求メッセージを送信する。例えば、新設基地局装置１０‐０の制御部１３は、暫定期間中に上述した条件を満たさない近隣基地局装置１０‐１〜１０‐１０６がある場合、ＳＣＴＰ開放要求メッセージを生成して、ＩＰ処理部１４を介して当該メッセージを近隣基地局装置１０‐１０１〜１０‐１０６に送信する。
【００６８】
ＳＣＴＰリンク開放要求メッセージを受信した近隣基地局装置１０‐１０１〜１０‐１０６は、当該要求メッセージに対するＳＣＴＰリンク解放確認メッセージを新設基地局装置１０‐０に送信する（Ｓ２６）。
【００６９】
次いで、ＳＣＴＰリンク開放要求メッセージを受信した近隣基地局装置１０‐１０１〜１０‐１０６は、隣接セルリスト１３０から新設基地局装置１０‐０の隣接セル情報を削除し（Ｓ２７）、更新された隣接セルリスト１３０に基づいて報知情報を報知する（Ｓ２８）。例えば、近隣基地局装置１０‐１０１〜１０‐１０６の制御部１３は、ＳＣＴＰリンク解放要求メッセージを受信すると、ＳＣＴＰリンク解放確認メッセージを生成しＩＰ処理部１４を介して送信する。また、制御部１３は、隣接セルリスト１３０から新設基地局装置１０‐０の情報を削除し、更新された隣接セルリスト１３０に基づいて報知情報を作成し、無線処理部１５‐１〜１５‐３を介して端末装置２０に報知する。
【００７０】
ＳＣＴＰリンク解放確認メッセージを受信した新設基地局装置１０‐０は、ＳＣＴＰリンクを解放した近隣基地局装置１０‐１０１〜１０‐１０６を隣接セルリスト１３０から削除する（Ｓ２９）。そして、新設基地局装置１０‐０は、更新された隣接セルリスト１３０に基づいて報知情報を報知する（Ｓ３０）。例えば、新設基地局装置１０‐０の制御部１３は、ＳＣＴＰリンク解放確認メッセージを近隣基地局装置１０‐１０１〜１０‐１０６から受信すると、対象となる近隣基地局装置１０‐１０１〜１０‐１０６の識別情報等を隣接セルリスト１３０から削除する。そして、制御部１３は、更新された隣接セルリスト１３０に含まれる各近隣基地局装置１０‐１〜１０‐６を隣接基地局装置とする報知情報を作成し、無線処理部１５‐１〜１５‐３を介して報知する。
【００７１】
その後、無線通信システム１は通常運用を開始する。新設基地局装置１０‐０の隣接セルリスト１３０には、隣接基地局として近隣基地局装置１０‐１〜１０‐６に関する情報が登録される。また、近隣基地局装置１０‐１〜１０‐６の隣接セルリスト１３０には、隣接基地局装置として新設基地局装置１０‐０に関する情報が登録される。
【００７２】
このように本第２の実施例では、暫定期間中に新設基地局装置と近隣基地局装置との間で信号リンクを確立させ、ハンドオーバが実際に実行されたか否かにより、信号リンクを解放するか否かを行うようにしている。信号リンクが解放された近隣基地局装置と新設基地局装置とは、ともに隣接セルリスト１３０からその情報が削除され、暫定期間経過後、新設基地局装置と他の近隣基地局装置の隣接セルリスト１３０には隣接基地局としてその情報が登録される。従って、本無線通信システム１は、新設基地局装置と隣接基地局装置との間の通信リンクを自動で設定及び開放させることができる。また、本無線通信システム１は、このように設定及び解放が自動で行われるため、手動で設定等が行われる場合と比較して、コスト削減を図ることができる。さらに、新設基地局装置と隣接基地局装置は隣接基地局に関する情報を隣接セルリスト１３０に自動的に登録できるため、手動で登録する場合と比較して、コスト削減を図ることができる。
【００７３】
＜第３の実施例＞
次に第３の実施例について説明する。第３の実施例は、距離と、さらに電波出力、及び他の基地局装置との相対的な方角を考慮して隣接関係（Ｓ１３‐１〜Ｓ１３‐４，Ｓ１６等）が判定される例である。
【００７４】
基地局装置１０は、基地局装置１０が配置された地形、アンテナ１６‐１〜１６‐３、周辺の建物などの影響により、アンテナ１６‐１〜１６‐３からの電波出力、及びセル形状が個々に異なる場合がある。したがって、基地局装置１０から端末装置２０への電波到達距離は、アンテナ１６‐１〜１６‐３の方角により変化する。
【００７５】
図８（Ａ）はセル形状と電波到達距離との関係例を示す図である。同図（Ａ）は、あるセル（又はアンテナ１６‐１〜１６‐３）の最大出力方向の電波到達距離をＤ１とした場合、最大出力方向からある角度方向の電波到達距離Ｄ２は７５％に下がることを示す。
【００７６】
また、図８（Ｂ）は、セル形状により２つの基地局装置１０間の距離は同じでも隣接可能な場合と不可能な場合があることを示す図である。本第３の実施例は、このような場合を考慮して隣接関係が判定される例である。
【００７７】
既存の近隣基地局装置１０‐１〜１０‐３１７は、自局が電波を出力するセル形状に対応した方角と出力とを予めデータ（以下、出力リスト１３１）を保持する。図９は出力リスト１３１の例、図１０は基地局装置１０の構成例をそれぞれ示す図である。図９では、方角が「１１０°」（０°を北とする）、「２３０°」、及び「３５０°」の３方向で最大出力を有する３セルの基地局装置１０の例が示される。出力リスト１３１は、図１０に示すように、例えば制御部１３に保持される。
【００７８】
次に動作を説明する。図１１は動作例を示すシーケンス図である。近隣基地局装置１０‐１〜１０‐３１７は、新設基地局装置１０‐０からｅＮＢ新設通知メッセージを受信すると、距離を計算するとともに、当該メッセージに含まれるＧＰＳ位置情報から方角を算出する。そして、近隣基地局装置１０‐１〜１０‐３１７は、さらにその方角におけるアンテナ出力を出力リスト１３１から取り出す（Ｓ１２’）。例えば、近隣基地局装置１０‐１〜１０‐３１７の制御部１３は、当該メッセージに含まれるＧＰＳ位置情報と予め測定した自局のＧＰＳ位置情報とから、新設基地局装置１０‐０の自局装置に対する方角を算出する。そして、制御部１３は、方角に対応するアンテナ出力を出力リスト１３１から取り出す。例えば、新設基地局装置１０‐０の方角が「１３０°」のとき、制御部１３は出力リスト１３１からアンテナ出力「９０％」を取り出す。
【００７９】
次いで、近隣基地局装置１０‐１〜１０‐２０６は、距離を閾値と比較した後（Ｓ１３‐１〜Ｓ１３‐４）、ｅＮＢ新設応答メッセージを新設基地局装置１０‐０に送信する（Ｓ１５‐１’〜１５‐３’）。ここで、ｅＮＢ新設応答メッセージには、自局のＧＰＳ位置情報、自局のｅＮＢ‐ＩＤの他に、さらにアンテナ出力、及び電波出力のデータ（最大出力での到達距離など、複数セルを含む基地局装置１０の場合はセルごとの最大出力到達距離でもよい）が含まれる。例えば、制御部１３がこれらの情報を含むｅＮＢ新設応答メッセージを生成し、ＩＰ処理部１４を介して新設基地局装置１０‐０に送信する。
【００８０】
次いで、新設基地局装置１０‐０は、近隣基地局装置１０‐１〜１０‐２０６への距離を計算した後（Ｓ１６）、近隣基地局装置１０‐１〜１０‐２０６から自局方向への電波到達距離等を演算して隣接判定を行い、隣接セルリスト１３０への登録を行う（Ｓ１７’）。
【００８１】
隣接判定の例として以下の場合がある。例えば、近隣基地局装置１０‐１は、最大出力到達距離が「１ｋｍ」、新設基地局装置１０‐０へのアンテナ出力が「９０％」とし、近隣基地局装置１０‐２は最大出力到達距離が「１．３ｋｍ」、新設基地局装置１０‐０へのアンテナ出力が「８０％」とする。これらの情報はｅＮＢ新設応答メッセージに含まれ、各近隣基地局装置１０‐１，１０‐２から送信される。各近隣基地局装置１０‐１，１０‐２と新設基地局装置１０‐０との距離は、それぞれ「１．８ｋｍ」、「１．９ｋｍ」とする（Ｓ１６）。
【００８２】
そして、新設基地局装置１０‐０の制御部１３は、実際の到達距離を演算して隣接判定を行う。例えば、実際の到達距離は、（最大出力到達距離）×（出力方向でのアンテナ出力）とする。近隣基地局装置１０‐１の新設基地局装置１０‐０への実際の到達距離は、１ｋｍ×９０％＝０．９ｋｍとなる。この場合、新設基地局装置１０‐０は、近隣基地局装置１０‐１に対して、１．８−０．９＝０．９ｋｍ分、セル範囲をカバーしないと隣接しないことになる。
【００８３】
一方、近隣基地局装置１０‐２の新設基地局装置１０‐０への実際の到達距離は、１．３ｋｍ×８０％＝１．０４ｋｍとなる。この場合、新設基地局装置１０‐０は、近隣基地局装置１０‐２に対して、１．９‐１．０４＝０．８６ｋｍ分、セル範囲をカバーしないと隣接しないことになる。
【００８４】
これらの例において、新設基地局装置１０‐０からの各近隣基地局装置１０‐１，１０‐２の距離は、近隣基地局装置１０‐２の方が近隣基地局装置１０‐１より近いことになる。なお、これらの例の場合、制御部１３は、近隣基地局装置１０‐１，１０‐２はどちらも新設基地局装置１０‐０に隣接しないと判定し、隣接セルリスト１３０に近隣基地局装置１０‐１，１０‐２の情報を登録しない（Ｓ１７’）。あるいは、制御部１３は新設基地局装置１０‐０との上述した距離が近い順に２つの近隣基地局装置１０‐１，１０‐２に関する情報を隣接セルリスト１３０に登録してもよい（Ｓ１７’）。さらに、制御部１３は隣接セルリスト１３０から近隣基地局装置１０‐１，１０‐２に関する情報を削除してもよい。このように、新設基地局装置１０‐０の制御部１３は、隣接セルリスト１３０への登録を、距離に加えて、上述した電波方向と方角とを加味して判断してもよい。
【００８５】
また、各近隣基地局装置１０‐１〜１０‐３１７の制御部１３がかかる隣接判定を行い（Ｓ１３‐１〜Ｓ１３‐４）、上述した計算により、隣接していると判断するとｅＮＢ新設応答メッセージを送信するようにしてもよい（Ｓ１５‐１’〜Ｓ１５‐３’）。この場合、各近隣基地局装置１０‐１〜１０‐２０６の制御部１３は、隣接するか否かの情報をｅＮＢ新設応答メッセージに含めて送信する。近隣基地局装置１０‐１〜１０‐３１７と新設基地局装置１０‐０は、判定結果に基づいて、隣接セルリスト１３０を更新するようにしてもよい。
【００８６】
このように、実際の距離のみならず、対象となる基地局装置１０への方角、アンテナ出力等を考慮することで、基地局装置１０は、第２の実施例よりもより現実に即した隣接判定（Ｓ１３‐１〜Ｓ１３‐４，Ｓ１７’等）を行うことができる。
【００８７】
なお、アンテナ出力は距離の３〜４乗に反比例して減少することが知られており（例えば、電波到達距離の関係式として、「奥村‐秦カーブ」などがある）、実際の到達距離の演算に用いられる判定はこのような既知のものを用いてもよい。
【００８８】
＜その他の実施例＞
第２〜第３の実施例において、基地局装置１０は３つのセルを有するものとして説明した。例えば、１つのセルでもよいし、２つ、４つ等の複数セルを有してもよい。基地局装置１０は、この場合、例えばセルの数に対応するアンテナを備えていればよい。
【００８９】
以上、まとめると付記のようになる。
【００９０】
（付記１）
第１及び第２の基地局装置と端末装置との間で無線通信を行う無線通信システムにおいて、
前記第１の基地局装置は、
前記第１の基地局装置の位置情報を取得する第１の位置情報取得部と、
前記位置情報を含む、前記第１の基地局装置が新たに設置された基地局装置であることを示す新設メッセージを生成して前記第２の基地局装置にマルチキャストで送信し、前記第２の基地局装置から前記新設メッセージに対する新設応答メッセージを受信した場合、隣接セル情報として前記端末装置に送信可能な個数分、前記第２の基地局装置ごとに信号リンク確立要求メッセージを送信し、当該信号リンク確立要求メッセージに対する信号リンク確立応答メッセージを前記第２の基地局装置から受信した場合、当該信号リンク確立応答メッセージを送信した前記第２の基地局装置を隣接基地局装置とする隣接セル情報を生成し、一定期間ハンドオーバが実行されない場合、ハンドオーバに使用されない前記第２の基地局装置との通信リンクを解放する解放要求メッセージを当該第２の基地局装置に送信するとともに前記解放要求メッセージの送信先である前記第２の基地局に関する情報を前記隣接セル情報から削除する第１の制御部と、
前記隣接セル情報を前記端末装置に送信する送信部とを備え、
前記端末装置は、
前記隣接セル情報を受信する受信部を備えることを特徴とする無線通信システム。
【００９１】
（付記２）
前記第２の基地局装置は、さらに、
前記第２の基地局装置の位置情報を取得する第２の位置情報取得部と、
前記第２の基地局装置の位置情報と、前記新設メッセージに含まれる第１の基地局装置の位置情報とに基づいて、前記第１の基地局装置との距離を計算し、前記距離と閾値とを比較することで前記第１の基地局装置と隣接するか否かを判断することを特徴とする付記１記載の無線通信システム。
【００９２】
（付記３）
前記第２の制御部は、前記第２の基地局装置の前記第１の基地局装置に対する電波送信方向及び方角を前記隣接するか否かの判断基準に加えることを特徴とする付記２記載の無線通信システム。
【００９３】
（付記４）
前記第２の制御部は、前記距離が前記閾値以下のとき、前記第１の基地局装置と隣接するものとして前記新設応答メッセージを前記第１の基地局装置に送信することを特徴とする付記２記載の無線通信システム。
【００９４】
（付記５）
前記第２の制御部は、前記新設応答メッセージに前記第２の基地局装置の位置情報と前記第２の基地局装置の識別情報とを含めて、前記新設応答メッセージを送信することを特徴とする付記４記載の無線通信システム。
【００９５】
（付記６）
前記第１の制御部は、さらに、第１の隣接セルリストを保持し、
前記第１の制御部は、前記新設応答メッセージに含まれる前記第２の基地局装置の位置情報と前記第１の基地局装置の位置情報とに基づいて、前記第１の基地局装置からの距離が近い順に前記第２の基地局装置に関する情報を前記第１の隣接セルリストに登録することを特徴とする付記１記載の無線通信システム。
【００９６】
（付記７）
前記第１の制御部は、前記第１の基地局装置からの距離と、さらに前記第１の基地局装置に対する前記第２の基地局装置の電波送信方向及び方角とに基づいて、前記第２の基地局装置に関する情報を順番に前記第１の隣接セルリストに登録することを特徴とする付記６記載の無線通信システム。
【００９７】
（付記８）
前記第１の制御部は、前記隣接セル情報として前記端末装置に送信可能な個数分、前記隣接セルリストに前記第２の基地局装置に関する情報を登録することを特徴とする付記７記載の無線通信システム。
【００９８】
（付記９）
前記第１の制御部は、前記第１の隣接セルリストに登録された前記第２の基地局装置に対して、前記信号リンク確立要求メッセージを送信することを特徴とする付記６または７記載の無線通信システム。
【００９９】
（付記１０）
前記第１の制御部は、前記信号リンク確立要求メッセージに前記第１の基地局装置のハンドオーバ関連情報を含めて前記信号リンク確立要求メッセージを送信することを特徴とする付記９記載の無線通信システム。
【０１００】
（付記１１）
前記第２の制御部は、第２の隣接セルリストを保持し、
前記第２の制御部は、前記信号リンク確立要求メッセージを受信した場合、前記信号リンク確立要求メッセージに含まれる前記第１の基地局装置のハンドオーバ関連情報を前記第２の隣接セルリストに登録することを特徴とする付記１０記載の無線通信システム。
【０１０１】
（付記１２）
前記第２の制御部は、前記信号リンク確立要求メッセージを受信した場合、前記第２の基地局装置のハンドオーバ関連情報を含む前記信号リンク確立応答メッセージを前記第１の基地局装置に送信することを特徴とする付記１１記載の無線通信システム。
【０１０２】
（付記１３）
前記第１の制御部は、前記信号リンク確立応答メッセージを受信した場合、前記第１の隣接セルリストに前記信号リンク確立応答メッセージに含まれる前記第２の基地局装置のハンドオーバ関連情報を前記第１の隣接セルリストに登録することを特徴とする付記１１記載の無線通信システム。
【０１０３】
（付記１４）
前記第１の制御部または前記第２の制御部は、それぞれ前記第１または第２の隣接セルリストに登録された前記第２または前記第１の基地局装置の前記ハンドオーバ関連情報を含む隣接セル情報を生成することを特徴とする付記１３記載の無線通信システム。
【０１０４】
（付記１５）
前記第１の制御部は、前記一定期間中、接続先を前記第２の基地局装置とするハンドオーバ要求信号を前記端末装置から受信せずに前記第２の基地局装置にハンドオーバ要求メッセージを送信しない場合、または前記第２の基地局装置から前記ハンドオーバ要求メッセージを受信しない場合、前記ハンドオーバが実行されないと判断して当該第２の基地局装置に前記解放要求メッセージを送信することを特徴とする付記１記載の無線通信システム。
【０１０５】
（付記１６）
前記第１の制御部は、前記一定期間中、接続先を前記第２の基地局装置とするハンドオーバ要求信号を前記端末装置から受信して前記第２の基地局装置にハンドオーバ要求メッセージを送信した回数、または前記第２の基地局装置から前記ハンドオーバ要求メッセージを受信した回数が閾値以下のとき、前記ハンドオーバが実行されないと判断して当該第２の基地局装置に前記解放要求メッセージを送信することを特徴とする付記１記載の無線通信システム。
【０１０６】
（付記１７）
前記第１の制御部は、前記一定期間ごとに、接続先を前記第２の基地局装置とするハンドオーバ要求信号を前記端末装置から受信して前記第２の基地局装置にハンドオーバ要求メッセージを送信した回数、または前記第２の基地局装置から前記ハンドオーバ要求メッセージを受信した回数をそれぞれカウントし、直近の前記一定期間における前記回数が「０」のとき、前記ハンドオーバが実行されないと判断して当該第２の基地局装置に前記解放要求メッセージを送信することを特徴とする付記１記載の無線通信システム。
【０１０７】
（付記１８）
第１及び第２の基地局装置と端末装置との間で無線通信を行う無線通信システムにおいて、
前記第２の基地局装置は、
前記第２の基地局装置の位置情報を取得する第２の位置情報取得部と、
新たに設置された基地局装置であることを示す新設メッセージを前記第１の基地局装置から受信した場合、前記新設メッセージに含まれる前記第１の基地局装置の位置情報と前記第２の基地局装置の位置情報とに基づいて前記第１の基地局装置との距離を計算し、前記距離が閾値よりも小さいとき前記第１の基地局装置と隣接するものとして新設応答メッセージを前記第１の基地局装置に送信し、前記第１の基地局装置から信号リンク確立要求メッセージを受信した場合、前記第１の基地局装置を隣接基地局装置とする隣接セル情報を生成して前記信号リンク確立要求メッセージに対する信号リンク確立応答メッセージを前記第１の基地局装置に送信し、前記第１の基地局装置から信号リンクの解放を要求する解放要求メッセージを受信した場合、前記隣接セル情報から前記第１の基地局装置に関する情報を削除する第２の制御部と、
前記隣接セル情報を前記端末装置に送信する送信部と、
前記端末装置は、
前記隣接セル情報を受信する受信部を備えることを特徴とする無線通信システム。
【０１０８】
（付記１９）
端末装置と無線通信を行う基地局装置において、
前記基地局装置の位置情報を取得する第１の位置情報取得部と、
前記位置情報を含む、前記基地局装置が新たに設置された基地局装置であることを示す新設メッセージを生成して、前記基地局装置と接続された既設基地局装置にマルチキャストで送信し、前記既設基地局装置から前記新設メッセージに対する新設応答メッセージを受信した場合、隣接セル情報として前記端末装置に送信可能な個数分、前記既設基地局装置ごとに信号リンク確立要求メッセージを送信し、当該信号リンク確立要求メッセージに対する信号リンク確立応答メッセージを前記既設基地局装置から受信した場合、当該信号リンク確立応答メッセージを送信した前記既設基地局装置を隣接基地局装置とする隣接セル情報を生成し、一定期間ハンドオーバが実行されない場合、ハンドオーバに使用されない前記既設基地局装置との通信リンクを解放する解放要求メッセージを当該既設基地局装置に送信するとともに前記解放要求メッセージの送信先である前記既設基地局装置に関する情報を前記隣接セル情報から削除する第１の制御部と、
前記隣接セル情報を前記端末装置に送信する送信部と
を備えることを特徴とする基地局装置。
【０１０９】
（付記２０）
端末装置と無線通信を行う基地局装置において、
前記基地局装置の位置情報を取得する第２の位置情報取得部と、
新たに設置された基地局装置であることを示す新設メッセージを新たに設置された新設基地局装置から受信した場合、前記新設メッセージに含まれる前記新設基地局装置の位置情報と前記基地局装置の位置情報とに基づいて前記新設基地局装置との距離を計算し、前記距離が閾値よりも小さいとき前記新設基地局装置と隣接するものとして新設応答メッセージを前記新設基地局装置に送信し、前記新設基地局装置から信号リンク確立要求メッセージを受信した場合、前記新設基地局装置を隣接基地局装置とする隣接セル情報を生成し、前記信号リンク確立要求メッセージに対する信号リンク確立応答メッセージを前記新設基地局装置に送信し、前記新設基地局装置から信号リンクの解放を要求する解放要求メッセージを受信した場合、前記隣接セル情報から前記新設基地局装置に関する情報を削除する第２の制御部と、
前記隣接セル情報を前記端末装置に送信する送信部と
を備えることを特徴とする基地局装置。
【０１１０】
（付記２１）
基地局装置と無線通信を行う端末装置において、
前記基地局装置は、前記基地局装置の位置情報を含む、前記基地局装置が新たに設置された基地局装置であることを示す新設メッセージを生成して、既に設置された他の基地局装置である既設基地局装置にマルチキャストで送信し、前記基地局装置が前記既設基地局装置から前記新設メッセージに対する新設応答メッセージを受信した場合、隣接セル情報として前記端末装置に送信可能な個数分、前記既設基地局装置ごとに信号リンク確立要求メッセージを前記既設基地局装置に送信し、前記基地局装置が当該信号リンク確立要求メッセージに対する信号リンク確立応答メッセージを前記既設基地局装置から受信した場合、当該信号リンク確立応答メッセージを送信した前記既設基地局装置を隣接基地局装置とする隣接セル情報を前記基地局装置から受信する受信部
を備え、
前記受信部は、前記基地局装置との間で一定期間ハンドオーバが実行されない場合、前記基地局装置はハンドオーバに使用されない前記既設基地局装置との通信リンクを解放する解放要求メッセージを当該既設基地局装置に送信し、前記解放要求メッセージの送信先である前記既設基地局装置に関する情報が削除された前記隣接セル情報を受信することを特徴とする端末装置。
【０１１１】
（付記２２）
基地局装置と無線通信を行う端末装置において、
前記基地局装置が新たに設置された基地局装置であることを示す新設メッセージを新たに設置された新設基地局装置から受信した場合、前記基地局装置は前記新設メッセージに含まれる前記新設基地局装置の位置情報と前記基地局装置の位置情報とに基づいて前記新設基地局装置との距離を計算し、前記距離が閾値よりも小さいとき前記新設基地局装置と隣接するものとして新設応答メッセージを前記新設基地局装置に送信し、前記基地局装置が前記新設基地局装置から信号リンク確立要求メッセージを受信した場合、前記信号リンク確立要求メッセージに対する信号リンク確立応答メッセージが前記新設基地局装置に送信し、前記基地局装置が生成した前記新設基地局装置を隣接基地局装置とする隣接セル情報を受信する受信部、
を備え、
前記受信部は、前記基地局装置が前記新設基地局装置から信号リンクの解放を要求する解放要求メッセージを受信した場合、前記新設基地局装置に関する情報が削除された前記隣接セル情報を受信することを特徴とする端末装置。
【０１１２】
（付記２３）
第１及び第２の基地局装置と端末装置との間で無線通信を行う無線通信システムにおける通信リンク設定方法であって、
前記第１の基地局装置は、
前記第１の基地局装置の位置情報を取得し、
前記位置情報を含む、前記第１の基地局装置が新たに設置された基地局装置であることを示す新設メッセージを生成して前記第２の基地局装置にマルチキャストで送信し、
前記第２の基地局装置から前記新設メッセージに対する新設応答メッセージを受信した場合、隣接セル情報として前記端末装置に送信可能な個数分、前記第２の基地局装置ごとに信号リンク確立要求メッセージを送信し、
当該信号リンク確立要求メッセージに対する信号リンク確立応答メッセージを前記第２の基地局装置から受信した場合、当該信号リンク確立応答メッセージを送信した前記第２の基地局装置を隣接基地局装置とする隣接セル情報を生成して前記端末装置に送信し、
一定期間ハンドオーバが実行されない場合、ハンドオーバに使用されない前記第２の基地局装置との通信リンクを解放する解放要求メッセージを当該第２の基地局装置に送信するとともに前記解放要求メッセージの送信先である前記第２の基地局に関する情報を前記隣接セル情報から削除する、
ことを特徴とする通信リンク設定方法。
【０１１３】
（付記２４）
第１及び第２の基地局装置と端末装置との間で無線通信を行う無線通信システムにおける通信リンク設定方法であって、
前記第２の基地局装置は、
前記第２の基地局装置の位置情報を取得し、
新たに設置された基地局装置であることを示す新設メッセージを前記第１の基地局装置から受信した場合、前記新設メッセージに含まれる前記第１の基地局装置の位置情報と前記第２の基地局装置の位置情報とに基づいて前記第１の基地局装置との距離を計算し、前記距離が閾値よりも小さいとき前記第１の基地局装置と隣接するものとして新設応答メッセージを前記第１の基地局装置に送信し、
前記第１の基地局装置から信号リンク確立要求メッセージを受信した場合、前記第１の基地局装置を隣接基地局装置とする隣接セル情報を生成して、前記隣接セル情報を前記端末装置に送信し、前記信号リンク確立要求メッセージに対する信号リンク確立応答メッセージを前記第１の基地局装置に送信し、
前記第１の基地局装置から信号リンクの解放を要求する解放要求メッセージを受信した場合、前記隣接セル情報から前記第１の基地局装置に関する情報を削除する、
ことを特徴とする通信リンク設定方法。
【符号の説明】
【０１１４】
１：無線通信システム                  １０：基地局装置
１０‐０：新設基地局装置              
１０‐１〜１０‐６，１０‐１０１〜１０‐１０６，１０‐３０１〜１０‐３０７：近隣基地局装置
１１：アンテナ                        １２：ＧＰＳ受信部
１３：制御部                          １４：ＩＰ処理部
１５‐１〜１５‐３：無線処理部        １６‐１〜１６‐３：アンテナ
２０：端末装置                        ２１：アンテナ
２２：無線処理部                      ２３：制御部
１２１：Ｓ１／Ｘ２  Ｆｌｅｘ  Ｎｅｔｗｏｒｋ（ＩＰネットワーク）
１３０：隣接セルリスト                １３１：出力リスト
【図１】
2011004101.tif 000003
【図２】
2011004101.tif 000004
【図３】
2011004101.tif 000005
【図４】
2011004101.tif 000006
【図５】
2011004101.tif 000007
【図６】
2011004101.tif 000008
【図７】
2011004101.tif 000009
【図８】
2011004101.tif 000010
【図９】
2011004101.tif 000011
【図１０】
2011004101.tif 000012
【図１１】
2011004101.tif 000013
【図１２】
2011004101.tif 000014
【図１３】
2011004101.tif 000015